(57)【要約】【課題】水分を含むオゾンガスによってオゾン処理剤の処理能力が低下しないようにする。【解決手段】水分を含む排オゾンガスは、導入口５から導入され、上下のオゾン処理剤ケース６，７に向かう。排オゾンガス中の水分は空間３において凝集して水滴となり、重力により下部ケース７に落下する。下部ケース７中のオゾン処理剤２に水は浸透してゆき、底部の排水口８から排出される。水分が浸透したオゾン処理剤２の処理能力は低下するが、連結部９に空間３が存在するため、上部ケース６内のオゾン処理剤１が水に浸漬されることはなく、そのため、上部のオゾン処理剤１のオゾン処理能力は正常状態に維持され、排オゾンガスの処理能力の低下は、水分が浸透した下部オゾン処理剤ケース内のオゾン処理剤に限定される。【選択図】図１
2013244476.tif 000002
【特許請求の範囲】
【請求項１】
オゾン処理剤を充填する上下のケースが連結部を介して連結してあり、この連結部には排オゾンガスの導入口及び空間が設けてあることを特徴とする排オゾン処理装置。
【請求項２】
請求項１記載の排オゾン処理装置において、上ケースは着脱自在の透孔を有する蓋を有し、下部ケースは着脱自在の排出口を有する底蓋を有する排オゾン処理装置。
【請求項３】
請求項１または請求項２記載の排オゾン処理装置において、上下のケースに活性炭が充填してあることを特徴とする排オゾン処理装置
【発明の詳細な説明】
【技術分野】
【０００１】
本発明は、オゾン水製造装置などのオゾン利用装置から排出される排オゾンガス、特に水分を含む排オゾンガスを処理する排オゾン処理装置に関する。
【背景技術】
【０００２】
近年、上下水道などの水処理や工場排水処理にオゾンガスが使われることが多くなっている。また、医療器具、食品加工器具、または調理器具の殺菌や洗浄にオゾンガスを溶解させたオゾン水が用いられ、オゾン水の供給にオゾン水製造装置が使用されている。
【０００３】
オゾン水製造装置では、オゾン発生装置からのオゾンガスを水に溶解させてオゾン水を製造しているが、オゾンの水への溶解度は小さなものであり、溶解し難い気体であるので、溶解されなかったオゾンガスは大気に排出される。しかし、オゾンガスは毒性を有しており、大量に吸引すると人体に悪影響を及ぼすので、オゾンガスが環境に放出されないようにしなければならない。
【０００４】
オゾンガスが環境に放出されないようにする方法としてオゾンを酸素に分解する方法があり、触媒でオゾンを分解処理する触媒法、加熱によって酸素に分解する加熱分解法が知られており、浄水場における水道水の消毒においては、その使用量が大量であり、溶解されずに排出されるオゾンガスも大量であるため加熱によって酸素に分解する方法が一般的である。
また、特許文献１（特開平１１−２８３３６号公報）等に開示されている活性炭にオゾンを吸着させる活性炭接触法が知られており、小型のオゾン水製造装置では、装置が小型である触媒によって分解する触媒法や、活性炭接触法が多く使用されている。
【０００５】
触媒や活性炭を用いる方法は、定期的に触媒や活性炭を交換したり、補充する必要があり、また、オゾンガスが水分を含んでいると活性炭や触媒の処理能力が低下するという問題があった。
【先行技術文献】
【特許文献】
【０００６】
【特許文献１】特開平１１−２８３３６号公報
【特許文献２】特開２００２−５８９６０号公報
【発明の概要】
【発明が解決しようとする課題】
【０００７】
本発明は、このような事情に鑑みてなされたもので、水分を含むオゾンガスであっても触媒によるオゾンガスの分解能力、または、活性炭等の吸着剤の吸着能力が低下しないようにするものである。
また、触媒や吸着剤の交換を容易にすることを課題とするものである。
【課題を解決するための手段】
【０００８】
オゾン処理剤を充填する上下のケースが連結部を介して連結してあり、この連結部には排オゾンガスの導入口及び空間が設けてあることを特徴とする排オゾン処理装置である。
水分を含む排オゾンガスは、導入口から導入され、上下のオゾン処理剤ケースに向かう。排オゾンガス中の水分は凝集して水滴となり、重力により下部オゾン処理剤ケースに落下する。下部オゾン処理剤ケース中のオゾン処理剤に水は浸透してゆき、下部の排水口から排出される。
【０００９】
水分が浸透したオゾン処理剤の処理能力は低下するが、連結部に空間が存在するため、上部オゾン処理剤ケースのオゾン処理剤は水に浸漬されず、上部のオゾン処理剤のオゾン処理能力は低下することなく正常状態に維持されるので、排オゾンガスの処理能力の低下は、水分が浸透した下部オゾン処理剤ケース内のオゾン処理剤に限定される。
【００１０】
オゾンガスは、比重が空気より大きいため、下部へ移動しようとするが、下部オゾン処理剤には水が充満しているため、オゾンガスの下降が阻止され、上部オゾン処理剤ケースへ押上げられ、上部のオゾン処理剤によって処理される。
【００１１】
排オゾンを排出する管路から、水分が排出されない場合は、排オゾンは下部オゾン処理剤が水に浸漬されていないのでオゾン処理剤を通過することができ、排オゾンガスは吸着または分解されて無害化される。
【発明の効果】
【００１２】
以上のように、上下のオゾン処理剤ケースの中間部に空間を形成して排オゾンガスの導入口を設けたことによって水分を含む排オゾンガスを効率よく処理することが可能である。
【図面の簡単な説明】
【００１３】
【図１】本発明の排オゾン処理装置の一実施形態の正面断面図。
【図２】排オゾン処理装置の他の実施形態の正面断面図。
【発明を実施するための形態】
【００１４】
以下、本発明を図示の実施例に基づいて説明する。
図１は、本発明の排オゾン処理装置であり、上部ケース６、下部ケース７を有し、上下のケース６、７は、導入口５を有する連結部９によって連結されており、連結部９には、導入口につながる空間３が形成されており、上下のケース６、７は空間３で隔離されている。
下部ケース７の底部には排水口８が設けてある。上下のケース６、７には活性炭またはオゾン分解触媒などのオゾン処理剤１、２が充填されている。
【００１５】
オゾン水製造装置などのオゾン利用装置１３から水に溶解されなかったオゾンガスが排オゾンとして排出される。この排オゾンガスは、大量の水分を含んでおり、排オゾン処理装置の連結部９の導入口５から装置内に導入され、空間３において排オゾン中の水分が凝結して水滴となり、下部ケース７内のオゾン処理剤２に浸透して下降し、排水口８から排出される。
排出能力を超えた水が下部ケース内に生成されるとオゾン処理剤２は水に浸漬され、この水が水封となって空間３に導入された排オゾンガスが下降するのを阻止するので、オゾンガスは空気より重いが、連結部９から上部ケース６へ押しあげられる。
【００１６】
水分を含んだオゾン処理剤２は、その処理能力が低下するが、水は連結部９の空間３があるため上部ケース６内のオゾン処理剤１には達しないので、上部ケース６のオゾン処理剤１のオゾン処理能力は正常に維持され、処理能力の低下は下部ケース７のオゾン処理剤２にとどまる。
【００１７】
上部へ押し上げられた排オゾンガスは、上部のオゾン処理剤１を通過する際に吸着または分解され、無害化された排ガスが上部ケース６の上部に形成された透過口６１から外部へ排出される。
【００１８】
排オゾンガス中の水分が少なく、水滴が形成されず下部ケース７内のオゾン処理剤２が水で浸漬されない場合は、オゾン処理剤２のオゾン処理能力は低下せず、水封も形成されないので、空気より重いオゾンガスは、下部ケース７内のオゾン処理剤２を通過する間に吸着または分解処理され、排オゾンガスは無害化される。
【００１９】
図２は他の実施例２の正面断面図であり、上部ケース６に蓋１１、及び下部ケース７には排出口８を有する底蓋１２を設け、上部ケース６及び下部ケース７内に充填したオゾン処理剤１、２の交換を容易としたものである。
上部ケース６、下部ケース７の側面に開閉扉を設けるようにしても同様の効果が得られる。
【符号の説明】
【００２０】
１  （上部）オゾン処理剤
２  （下部）オゾン処理剤
３  空間
４  排出管
５  導入口
６  上部ケース
６１  透過口
７  下部ケース
８  排水口
９  連結部
１１  蓋
１２  底蓋
１３  オゾン利用装置（オゾン水製造装置）
【図１】
2013244476.tif 000003
【図２】
2013244476.tif 000004